(57)【要約】【課題】部品点数を少なくして安価かつ容易にピックアップユニットのガイドシャフトの保持と高さ調整が行なえ、しかも、強い衝撃が加わってもガイドシャフトが抜けて外れないようにする。【解決手段】シャーシ板３を切り起こして形成した端面当接片９をガイドシャフト７ａ、７ｂの端面に当接して前記ガイドシャフト７ａ、７ｂの軸方向の抜け止め手段を構成し、シャーシ板３を切り起こして鉤型に形成したシャフト保持体１０により、その切り抜き部を貫通するガイドシャフト７ａ、７ｂを保持し、シャーシ板３の下面側からねじ孔１１に螺入されて上方に突出した調整ねじ１２の端面をガイドシャフト７ａ、７ｂに当接し、調整ねじ１２により、ガイドシャフト７ａ、７ｂの装着口からの抜け止め及び高さ調整を行う。【選択図】図３
2007066430.tif 000002
【特許請求の範囲】
【請求項１】
光ディスクのピックアップユニットをシャーシ板上に往復直線移動自在に支持するガイドシャフトを、前記シャーシ板上に保持するガイドシャフト保持機構であって、前記ガイドシャフトの端面近傍の前記シャーシ板を切り起こして形成され、前記ガイドシャフトの端面に当接して前記ガイドシャフトの軸方向の抜け止め手段を構成する端面当接片と、前記ガイドシャフトの前記端面より中央寄りの前記シャーシ板を前記ガイドシャフトが係止状態で貫通する切り抜き部を有する形状に切り起こし、前記切り抜き部の周囲枠の左、右側のいずれか一方の下部を前記ガイドシャフトの前記切り抜き部への装着口として切除し、鉤型に形成されたシャフト保持体と、前記シャーシ板の前記シャフト保持体近傍の前記ガイドシャフト直下に形成されたねじ孔と、前記シャーシ板の下面側から前記ねじ孔に螺入され、前記ねじ孔から上方に突出した端面が前記ガイドシャフトに当接する前記ガイドシャフトの前記装着口からの抜け止め用及び前記ガイドシャフトの高さ調整用の調整ねじとを備えたことを特徴とするガイドシャフト保持機構。
【請求項２】
請求項１記載のガイドシャフト保持機構において、前記端面当接片、前記シャフト保持体、前記ねじ孔及び前記調整ねじを、前記ガイドシャフトの各端部近傍に対して設けたことを特徴とするガイドシャフト保持機構。
【請求項３】
請求項１または２に記載のガイドシャフト保持機構において、前記ガイドシャフトの端面近傍部分を下向きに押し付けるばねを備えたことを特徴とするガイドシャフト保持機構。
【請求項４】
光ディスクのピックアップユニットの左右両側に並設され、前記ピックアップユニットをシャーシ板上に往復直線移動自在に支持する１対のガイドシャフトを前記シャーシ板上に保持するガイドシャフト保持機構であって、いずれか一方の前記ガイドシャフトの一端面部を前記シャーシ板上に基準高さに固定保持する固定ホルダ体を備え、かつ、前記一方の前記ガイドシャフトの他端面部及び他方の前記ガイドシャフトの両端面部それぞれに、当該ガイドシャフトの端面より中央寄りの前記シャーシ板を当該ガイドシャフトが係止状態で貫通する切り抜き部を有する形状に切り起こし、前記切り抜き部の周囲枠の左、右のいずれか一方の下部を当該ガイドシャフトの前記切り抜き部への装着口として切除し、鉤型に形成されたシャフト保持体と、前記シャーシ板の前記シャフト保持体近傍の当該ガイドシャフト直下に形成されたねじ孔と、前記シャーシ板の下面側から前記ねじ孔に螺入され、前記ねじ孔から上方に突出した端面が当該ガイドシャフトに当接する当該ガイドシャフトの前記装着口からの抜け止め用及び当該ガイドシャフトの高さ調整用の調整ねじとを備えたことを特徴とするガイドシャフト保持機構。
【請求項５】
請求項１〜４のいずれかに記載のガイドシャフト保持機構を備えたことを特徴とする光ディスクドライブ。
【発明の詳細な説明】
【技術分野】
【０００１】
本発明は、光ディスクのピックアップユニットのガイドシャフトをシャーシ板上に保持するガイドシャフト保持機構及びこのガイドシャフト保持機構を備えた光ディスクドライブに関する。
【背景技術】
【０００２】
従来より、情報を記録するために、或いは予め情報が記録してある記憶媒体としてＤＶＤやＣＤ等のいわゆる光ディスクを用い、前記光ディスクの記録或いは再生を行う光ディスクドライブがある。この光ディスクドライブは、例えば、前記光ディスクドライブの内外において媒体となる光ディスクを載置して搬入／搬出動作を可能とするトレイと、前記トレイの搬入動作により前記光ディスクドライブの内部へと収納された光ディスクを下方より僅かに持ち上げて回転可能とするターンテーブルと、前記ターンテーブルの対向位置にあって該ターンテーブルとともに前記ディスクを挟持するクランパと、前記ターンテーブルと前記クランパとによって挟持した状態で回転する光ディスクの記録面にレーザー光を照射し、前記記録面に情報を書き込み記録するか、或いは前記記録面より情報を読み込み再生する光ピックアップユニットと、前記ピックアップユニットの移動方向を規制するガイドシャフトと、前記ターンテーブル、ピックアップユニット、及びガイドシャフト等を取り付けてユニット化する金属製のシャーシ板とを含む種々の部品を前記光ディスクドライブの外観となる外装ケースに組み付けて構成され、種々の電子機器において再生ユニット或いは記録再生ユニットとして内蔵されたりする。
【０００３】
そして、前述のターンテーブル、光ピックアップユニット、及びガイドシャフト等を主要部品としてシャーシ板に取り付けてユニットとして構成したものを一般にトラバースユニットと称しており、前記トラバースユニットは外装ケースの内部においてその一端を支点に揺動可能に組み付けられる。
【０００４】
又、トラバースユニットに取り付けられる光ピックアップユニットについては、回転するターンテーブル上に載置する光ディスクの径方向（横断方向）に前後動してレーザー光を照射するため、シャーシ板上で左右両側に並設された１対のガイドシャフトにより前記ピックアップユニットを往復直線移動自在に支持している。
【０００５】
この場合、両ガイドシャフトは光ピックアップユニットを精度よく基準の高さに水平に支持することが重要であり、そのため、前記ガイドシャフトをシャーシ板上に保持するガイドシャフト保持機構として、従来、つぎのようなものが提案されている。
【０００６】
すなわち、従来提案のガイドシャフト保持機構の一例は、いわゆるコ字状の縦溝、横溝それぞれを有する２種類の軸受けでガイドシャフトの端部を抜けないように保持しつつスキューねじの上方からのねじ止め量を調整して高さの調整を行なったり、ガイドシャフトの前記端部に上下方向のねじ孔を形成し、このねじ孔に上方からのねじの螺入量を調整することで高さの調整を行なったりするものである（例えば、特許文献１参照。）。
【０００７】
又、従来提案のガイドシャフト保持機構の他の例は、部品点数を少なくするため、ガイドシャフトの前記端部の近傍のシャーシ板を切り起こして複雑な形状の位置決め片と固定片とを形成し、前記固定片を折曲操作することにより、前記端部を位置決め片と固定片とで所望の高さに挟持することでガイドシャフトの保持と高さの調整を行なうものである（例えば、特許文献２参照。）。
【特許文献１】特開２００４−９５１４３号公報（段落［００１８］−［００２４］、［００３５］−［００３６］、図３、図９、図１５等）
【特許文献２】特開２００２−５０１３７号公報（段落［００２４］−［００３６］、図２等）
【発明の開示】
【発明が解決しようとする課題】
【０００８】
この種のガイドシャフト保持機構は、前記一例のような構造の場合、いわゆるアウトサート成形によりシャフトの保持部分を形成しているため部品単体の価格が高価となり、その上、部品の成形に要する金型の形状が複雑で前記金型の寿命が低下する要因となる。
【０００９】
又、前記他の例のような構造の場合、シャーシ板の切り起こしで形成されるので部品数を少なくして価格を抑えることが可能であるが、シャーシ板を極めて複雑な形状に切り起こし、さらに、切り起こし片（固定片）を折曲操作してガイドシャフトの高さ調整と挟み込みの保持とを行なう必要があり、精度の高い調整や確実な保持を行なうことは極めて困難である。
【００１０】
そして、この種のガイドシャフト保持機構においては、部品点数を少なくして安価かつ容易にガイドシャフトの保持と高さ調整が行なえるようにするのは勿論、いわゆる落下試験等によって強い衝撃が加わってもガイドシャフトが抜けて外れないようにすることが要求されている。
【００１１】
本発明は、部品点数を少なくして安価かつ容易にピックアップユニットのガイドシャフトの保持と高さ調整が行なえ、しかも、強い衝撃が加わってもガイドシャフトが抜けて外れないようにすることを目的とする。
【課題を解決するための手段】
【００１２】
上記した目的を達成するために、本発明のガイドシャフト保持機構は、光ディスクのピックアップユニットをシャーシ板上に往復直線移動自在に支持するガイドシャフトを、前記シャーシ板上に保持するガイドシャフト保持機構であって、前記ガイドシャフトの端面近傍の前記シャーシ板を切り起こして形成され、前記ガイドシャフトの端面に当接して前記ガイドシャフトの軸方向の抜け止め手段を構成する端面当接片と、前記ガイドシャフトの前記端面より中央寄りの前記シャーシ板を前記ガイドシャフトが係止状態で貫通する切り抜き部を有する形状に切り起こし、前記切り抜き部の周囲枠の左、右側のいずれか一方の下部を前記ガイドシャフトの前記切り抜き部への装着口として切除し、鉤型に形成されたシャフト保持体と、前記シャーシ板の前記シャフト保持体近傍の前記ガイドシャフト直下に形成されたねじ孔と、前記シャーシ板の下面側から前記ねじ孔に螺入され、前記ねじ孔から上方に突出した端面が前記ガイドシャフトに当接する前記ガイドシャフトの前記装着口からの抜け止め用及び前記ガイドシャフトの高さ調整用の調整ねじとを備えたことを特徴としている（請求項１）。
【００１３】
又、請求項１に記載のガイドシャフト保持機構において、前記端面当接片、前記シャフト保持体、前記ねじ孔及び前記調整ねじを、前記ガイドシャフトの各端部近傍に対して設けたことを特徴としている（請求項２）。
【００１４】
つぎに、請求項１又は請求項２に記載のガイドシャフト保持機構において、ガイドシャフトの端面近傍部分を下向きに押し付けるばねも備えたことを特徴としている（請求項３）。
【００１５】
さらに、本発明のガイドシャフト保持機構において、光ディスクのピックアップユニットの左右両側に並設され、前記ピックアップユニットをシャーシ板上に往復直線移動自在に支持する１対のガイドシャフトを前記シャーシ板上に保持するガイドシャフト保持機構であって、いずれか一方の前記ガイドシャフトの一端を前記シャーシ板上に基準高さに固定保持する固定ホルダ体を備え、かつ、前記一方の前記ガイドシャフトの他端及び他方の前記ガイドシャフトの両端それぞれに、当該ガイドシャフトの端面近傍の前記シャーシ板を切り起こして形成され、前記ガイドシャフトの端面に当接して当該ガイドシャフトの軸方向の抜け止め手段を構成する端面当接片と、当該ガイドシャフトの端面より中央寄りの前記シャーシ板を当該ガイドシャフトが係止状態で貫通する切り抜き部を有する形状に切り起こし、前記切り抜き部の周囲枠の左、右のいずれか一方の下部を当該ガイドシャフトの前記切り抜き部への装着口として切除し、鉤型に形成されたシャフト保持体と、前記シャーシ板の前記シャフト保持体近傍の当該ガイドシャフト直下に形成されたねじ孔と、前記シャーシ板の下面側から前記ねじ孔に螺入され、前記ねじ孔から上方に突出した端面が当該ガイドシャフトに当接する当該ガイドシャフトの前記装着口からの抜け止め用及び当該ガイドシャフトの高さ調整用の調整ねじとを備えたことを特徴としている（請求項４）。
【００１６】
そして、請求項１乃至請求項４の何れか１つに記載のガイドシャフト保持機構を備えた光ディスクドライブであることを特徴としている（請求項５）。
【発明の効果】
【００１７】
まず、請求項１のガイドシャフト保持機構によれば、シャーシ板を切り起こして形成された端面当接片により、ピックアップユニットのガイドシャフトの軸方向（前後方向）の抜け止め手段が構成される。
【００１８】
又、シャーシ板を切り起こして鉤型に形成されたシャフト保持体の切り抜き部を前記ガイドシャフトが係止状態で貫通することにより、ガイドシャフトがシャーシ板上に保持される。
【００１９】
さらに、シャーシ板の下面側からシャーシ板のねじ孔に調整ねじを螺入し、その端面をガイドシャフトに当接することにより、前述のシャフト保持体と調整ねじとによってガイドシャフトの軸方向に直角な上下方向及び左右方向の抜け止め手段が構成され、しかも、調整ねじがシャフト保持体の装着口からのガイドシャフトの抜け止めとガイドシャフトの高さ調整を行う。
【００２０】
この場合、いわゆるアウトサート成形によりシャフト保持部分を形成するのではなく、シャーシ板の切り起こし（曲げ）により形成した端面当接片と、シャフト保持体とを用いてガイドシャフトの保持機構を構成しているため、部品点数を増やすことなく安価にガイドシャフトをシャーシ板上に保持することができる。
【００２１】
その際、端面当接片はシャーシ板を例えば舌片状等に切り起こして極めて簡単に形成することができ、シャフト保持体も例えばロの字状の切り抜き部（中空部）を有する形状に切り起こし、その周囲枠の左、右側のいずれか一方の下部を切除して鉤型にすることで簡単に形成することができ、しかも、前記切除により形成された装着口から切り抜き部にガイドシャフトを滑り込ませて嵌入し、簡単にガイドシャフトをシャーシ板上に保持することができる。
【００２２】
又、それらの切り起こし部品と調整ねじとにより、シャーシ板上に保持したガイドシャフトの前後、左右及び上下の３次元の抜け止めが実現され、落下試験等によって強い衝撃が加わっても前記ガイドシャフトが抜けて外れないようにすることができる。
【００２３】
さらに、調整ネジをシャーシ板の下面側より螺入し、その端面のシャーシ板からの突き出し量を調整することで簡単にしかも精度よくガイドシャフトの高さ調整を行うことができる。
【００２４】
したがって、部品点数を増やすことなく安価かつ容易にピックアップのガイドシャフトの保持と高さ調整を行うことができ、しかも、強い衝撃が加わっても前記ガイドシャフトが抜けて外れることがないガイドシャフト保持機構を提供することができる。
【００２５】
又、請求項２のガイドシャフト保持機構によれば、請求項１のガイドシャフト保持機構を前記ガイドシャフトの各端部近傍に対してそれぞれ設けるため、ガイドシャフトの両端において、請求項１の場合と同様のガイドシャフトの保持、抜け止め及び高さ調整を行うことができる。
【００２６】
つぎに、請求項３のガイドシャフト保持機構によれば、請求項１又は請求項２の構成にばねを加え、このばねによってガイドシャフトを更に下向きに押し付るため、落下試験等によって強い衝撃が加わったときの抜け止め効果が一層向上する。
【００２７】
つぎに、請求項４のガイドシャフト保持機構によれば、ピックアップユニットの左右両側に並設された１対のガイドシャフトにつき、いずれか一方の一端は固定ホルダ体によってシャーシ板上に基準高さに固定保持することができる。
【００２８】
又、一方のガイドシャフトの他端及び他方のガイドシャフトの他端は、シャーシ板を切り起こして形成された前記の端面当接片、シャフト保持体及び前記のねじ孔、調整ねじの構成により、シャーシ板上に３次元の抜け止めを図るとともに前記基準高さに調整して保持することができる。
【００２９】
したがって、ピックアップの左右の１対のガイドシャフトにつき、部品点数を増やすことなく安価かつ容易にシャーシ板上の保持と基準高さに合わせる高さ調整とを行うことができ、しかも、強い衝撃が加わっても両ガイドシャフトが抜けて外れることがなく、極めて実用的なガイドシャフト保持機構を提供することができる。
【００３０】
つぎに、請求項５のガイドシャフト保持機構を備えた光ディスクドライブは、前記請求項１乃至請求項４のいずれかに記載のガイドシャフト保持機構を備えることにより、部品点数を増やすことなく安価かつ容易にピックアップユニットを支持するためのガイドシャフトの保持と高さ調整を行うことができ、しかも、強い衝撃が加わっても前記ガイドシャフトが抜けて外れることがなく、安価に性能、信頼性等の一層の向上を図ることができる。
【発明を実施するための最良の形態】
【００３１】
つぎに、本発明をより詳細に説明するため、その一実施形態について、図１〜図７にしたがって詳述する。
【００３２】
図１及び図２は光ディスクドライブの天板（プレート）及びクランパを取り外して上部を開放した状態を示しており、図１はトレイが内部に搬入した状態を示す光ディスクドライブの斜視図であり、図２はトレイが外部に搬出した状態を示す光ディスクドライブの斜視図である。
【００３３】
図３は光ディスクドライブの内部に組み付けるトラバースユニット単体を示す斜視図であり、図４はシャーシ板に片側のガイドシャフトを取り付けた状態を示す斜視図である。そして、図５は図４の２点鎖線Ａ部を拡大した斜視図であり、図６は図４の２点鎖線Ｂ部のを拡大した斜視図である。さらに、図７はシャーシ板に片側のガイドシャフトを取り付けた状態を示しており、図７（ａ）は平面図、図７（ｂ）は図７（ａ）におけるｃ１−ｃ２線の切断側面図である。
【００３４】
図１及び図２にて示すように、本実施形態の光ディスクドライブ１はＤＶＤ、ＣＤ等の光ディスクの再生或いは記録再生の機能を有し、上面が開放した合成樹脂の本体フレーム４内のシャーシ板３上には、例えば前記光ディスクドライブ１を内蔵した電子機器の外部からトレイ２により搬入された光ディスクを持ち上げて載置し回転するターンテーブル５と、前記ターンテーブル５上の光ディスクの記録面にレーザー光を照射して前記光ディスクの記録或いは再生を行うピックアップユニット６と、前記ピックアップユニット６の左右側に設置する平行な１対のガイドシャフト７ａ、７ｂ等とが配置されている。
【００３５】
シャーシ板３は、周知のトラバースユニットを構成するシャーシと同様、鉄板等の金属板からなり、一端（後端）が本体フレーム４と連結し、その連結部分を支点として他端側（前端側）が上下に傾動可能であり、トレイ２が電子機器の外部に搬出される光ディスクの搬入（挿入）前においては、前述の連結部分を支点として前下がりに傾動し、光ディスクが電子機器の外部から前記トレイ２により本体フレーム４内の所定位置に搬入されると、前傾状態にあるシャーシ板３が前記本体フレーム４との連結部分を支点として水平状態に戻るように傾動する。
【００３６】
このとき、トレイ２に載置されている光ティスクがシャーシ板３の傾動動作に伴って上昇するターンテーブル５によって僅かに持ち上げられた状態となる。そして、シャーシ板３が水平状態にあるときは、光ディスクの記録、再生が可能になる。
【００３７】
一方、両ガイドシャフト７ａ、７ｂは、例えば金属製であり、ピックアップユニット６を光デイスクの内周端から外周端の範囲内で前記光ディスクの径方向（前後方向）に往復直線移動するため、ピックアップユニット６の左右両側に平行に配置され、図３に示すように、前記ピックアップユニット６の左右の支持突起６ａ〜６ｃを貫通して前記ピックアップユニット６をシャーシ板３から浮いた状態で摺動自在に支持する。
【００３８】
ところで、両ガイドシャフト７ａ、７ｂは、ガイドシャフト保持機構により、つぎに説明するようにしてシャーシ板３に取付けられる。
【００３９】
すなわち、本実施形態の場合、ガイドシャフト７ｂの前側の一端を高さの基準とするため、この前側の一端については、図３に示すように樹脂製の固定ホルダ体８をシャーシ板３にねじ止めして固定し、前記固定ホルダ体８の基準高さの位置の保持穴（横穴）にガイドシャフト７ｂの一端を嵌入することで、該一端がシャーシ板３の上面から基準高さの位置に位置決めして固定保持される。
【００４０】
又、ガイドシャフト７ａの前側の一端、後側の他端及びガイドシャフト７ｂの後側の他端については、それぞれ図３に示すようにシャーシ板３を切り起こして形成された端面当接片９及びシャフト保持体１０と、シャーシ板３のねじ孔１１に下側から螺入されてその端面がガイドシャフト７ａ、７ｂに当接した調整ねじ１２とにより抜け止め及び高さ調整を行なって前記の基準高さの位置に保持される。
【００４１】
このとき、各端面に形成する当接片９は、図５に示すガイドシャフト７ａ、７ｂの一端側に形成する舌片状のものと、図６に示すガイドシャフト７ｂの他端側に形成するアーム状ものとでは、形状は若干異なるが、いずれも、前記ガイドシャフト７ａ、７ｂの各端面近傍のシャーシ板３を切り起こして形成され、このガイドシャフト７ａ、７ｂの各端面に当接して前記ガイドシャフト７ａ、７ｂの軸方向（前後方向）の抜け止め手段を構成する。
【００４２】
又、各シャフト保持体１０は、図５、図６に示すように鉤型の同形状であり、ガイドシャフト７ａ、７ｂの各端面より中央寄りのシャーシ板３をガイドシャフト７ａ、７ｂが係止状態で貫通する例えばロの字の切り抜き部１０ａを有する形状に切り起こし、前記切り抜き部１０ａの周囲枠の左、右側のいずれか一方（図５、図６では左側）下部をガイドシャフト７ａ、７ｂの切り抜き部１０ａへの装着口１０ｂとして切除して形成される。
【００４３】
そして、各シャフト保持体１０の装着口１０ｂから切り抜き部１０ａにガイドシャフト７ａ、７ｂを滑り込ませて嵌入する簡単な作業によって、各シャフト保持体１０がガイドシャフト７ａ、７ｂをシャーシ板３上に保持する。
【００４４】
さらに、図７に示すように、各ねじ孔１１はシャーシ板３の各シャフト保持体１０近傍のガイドシャフト７ａ、７ｂの直下に形成され、各調整ねじ１２はガイドシャフト７ａ、７ｂの装着口１０ｂからの抜け止め用及びガイドシャフト７ａ、７ｂの高さ調整用に兼用されるねじであり、シャーシ板３の下面側から各ねじ孔１１に螺入され、各ねじ孔１１から上方に突出した端面が前記ガイドシャフト７ａ、７ｂそれぞれに当接する。
【００４５】
そして、各シャフト保持体１０と各調整ねじ１２により、ガイドシャフト７ａ、７ｂの左右及び上下の抜け止め手段が構成される。
【００４６】
そのため、シャーシ板３の切り起こし部品である各端面当接片９と、各シャフト保持体１０と、各調整ねじ１２とにより、シャーシ板３上に保持した各ガイドシャフト７ａ、７ｂの前後、左右及び上下の３次元の抜け止めが実現され、落下試験等によって強い衝撃が加わってもガイドシャフト７ａ、７ｂが抜けて外れることがない。尚、固定ホルダ体８に保持されたガイドシャフト７ｂの一端については、ガイドシャフト７ｂが抜ける問題は生じない。
【００４７】
又、各調整ネジ１２の端面のシャーシ板３からの突き出し量を調整することにより、簡単にしかも精度よくガイドシャフト７ａ、７ｂの高さを全ての端部の位置で基準の高さに揃え、ピックアップユニット６の精度の高い高さ調整を極めて簡単に行なうことができる。
【００４８】
したがって、いわゆるアウトサートによるシャフト保持部品を用いるのではなく、シャーシ板３の切り起こし（曲げ）により形成した各端面当接片９、各シャフト保持体１０を用いて、少ない部品点数で安価にガイドシャフト７ａ、７ｂをシャーシ板３上に保持することができ、しかも、それらの切り起こし部品と各調整ねじ１２との少ない部品数で安価かつ容易にピックアップ６のガイドシャフト７ａ、７ｂの保持と高さ調整を行うことができ、その際、各ねじ孔１１はガイドシャフト７ａ、７ｂでなく平板状のシャーシ板３に形成すればよく、容易に形成することができる。
【００４９】
そして、光ディスクドライブ１単体或いは製品（電子機器）の落下試験等によって強い衝撃が加わってもガイドシャフト７ａ、７ｂは抜けて外れることがなく、それらの性能及び信頼性等が安価な構成で向上する。
【００５０】
ところで、本実施形態においては、図３、図４等に示すように、少なくともガイドシャフト７ａについて、両端に、ガイドシャフト７ａの端面近傍部分を下向きに押し付けるばね１３も備える。
【００５１】
このばね１３は、コイル部１３ａがシャーシ板３を切り起こして環状に曲げて形成された係止片１４に巻回して保持され、先端の押さえ片１３ｂがガイドシャフト７ａの上面を下向きに押し付ける。
【００５２】
そして、ばね１３によってガイドシャフト７ａを更に下向きに押し付ることにより、落下試験等によって強い衝撃が加わったときのガイドシャフト７ａの抜け止め効果が一層向上する。
【００５３】
つぎに、ガイドシャフト７ａ、７ｂをシャーシ板３に取り付ける一例の手順について説明する。
【００５４】
ガイドシャフト７ａ、７ｂをシャーシ板３に取り付ける場合、まず、シャーシ板３から切り起こした各端面当接片９及び各シャフト保持体１０が下向きになるように、シャーシ板３を裏返し、各シャフト保持体１０の装着口１０ｂよりガイドシャフト７ａ、７ｂを切り抜き部１０ａに押し込む。
【００５５】
このようにしてガイドシャフト７ａ、７ｂをシャーシ板３に仮保持状態に取付けた後、シャーシ板３の各ねじ孔１１に各調整ねじ１２を螺入し、カイドシャフト７ａ、７ｂをシャーシ板３より外れないように固定する。
【００５６】
その後、シャーシ板３を反転して表向きの状態に戻してばね１３を取り付け、さらに、各調整ねじ１２の螺合状態を調整して端面の突出量を調整することにより、カイドシャフト７ａ、７ｂを適切な高さに調整し、取り付けを終了する。
【００５７】
以上のように、本実施形態の場合、少ない部品点数で安価かつ容易にピックアップユニット６のガイドシャフト７ａ、７ｂの保持と高さ調整を行うことができ、しかも、強い衝撃が加わってもガイドシャフト７ａ、７ｂが抜けて外れることがない新規なガイドシャフト保持機構及び、この保持機構を備えてピックアップユニット６の取り付け工程の簡素化等を図り、組み立ての作業性を向上し、安価に性能、信頼性等の一層の向上を図るようにした光ディスクドライブ１を提供することができる。
【００５８】
尚、各端面当接片９及び各シャフト保持体１０がシャーシ板３によって形成され、このシャーシ板３が金属板のみからなり、ガイドシャフト７ａ、７ｂの保持のためのアウトサート成形が不要であることから、シャーシ板３の単価を安価にすることができるのは勿論、シャーシ板３を成形する金型が簡素化してこの金型の成形寿命が向上する利点もある。
【００５９】
そして、本発明は上記した実施形態に限定されるものではなく、その趣旨を逸脱しない限りにおいて上述したもの以外に種々の変更を行うことが可能であり、例えば、ガイドシャフト７ｂの一端を、固定ホルダ体８でなく、ガイドシャフト７ａの一端と同様の構成で保持するようにしてもよく、逆に、ガイドシャフト７ａの一端を固定ホルダ体８と同様の固定ホルダ体８で保持するようにしてもよい。
【００６０】
さらに、前記実施形態においては、１対のガイトシャフト７ａ、７ｂの計３個所の端部は端面当接片９、シャフト保持体１０及び調整ねじ１２の構成で保持し、残りの１個所の端部はシャーシ板３と別体の樹脂製の固定ホルダ体８によって保持し、この固定ホルダ体８によってカイドシャフト７ａ、７ｂの基準の高さを定め、ピックアップユニット６の位置を合せる構成としたが、固定ホルダ体８の代わりとなるホルダ体をシャーシ板３と一体に形成したり、ガイトシャフト７ａ、７ｂの計４個所の全ての端部を端面当接片９、シャフト保持体１０及び調整ねじ１２の構成で保持するようにしてもよい。
【００６１】
また、ばね１３をガイドシャフト７ｂの端部にも設けるようにしてもよい。
【００６２】
そして、本発明は、電子機器に内蔵等される種々の光ディスクドライブのピックアップユニットのガイドシャフト保持機構及び該ガイドシャフト保持機構を備えた光ディスクドライブに適用することができる。
【図面の簡単な説明】
【００６３】
【図１】本発明の一実施形態における光ディスクドライブの上部を開放した状態のトレイ搬入時の斜視図である。
【図２】同上、光ディスクドライブのトレイ搬出時の斜視図である。
【図３】同上、トラバースユニット単体を示す斜視図である。
【図４】同上、シャーシ板に片側のガイドシャフトを取り付けた状態を示す斜視図である。
【図５】図４の２点鎖線Ａ部を拡大した斜視図である。
【図６】図４の２点鎖線Ｂ部を拡大した斜視図である。
【図７】本発明の一実施形態におけるシャーシ板に片側のガイドシャフトを取り付けた状態を示しており、（ａ）は平面図であり、（ｂ）は（ａ）におけるｃ１−ｃ２線の切断側面図である。
【符号の説明】
【００６４】
１    光ディスクドライブ
３    シャーシ板
６    ピックアップユニット
７ａ、７ｂ    ガイドシャフト
８    固定ホルダ体
９    端面当接片
１０    シャフト保持体
１０ａ    切り抜き部
１０ｂ    装着口
１１    ねじ孔
１２    調整ねじ
１３    ばね
【図１】
2007066430.tif 000003
【図２】
2007066430.tif 000004
【図３】
2007066430.tif 000005
【図４】
2007066430.tif 000006
【図５】
2007066430.tif 000007
【図６】
2007066430.tif 000008
【図７】
2007066430.tif 000009